(57)【要約】【課題】  梁への金属製根太の取付けを上向き作業で容易に行え、しかも、それをコスト的に有利に実現できる取付け構造等を提供する。【解決手段】  内部空洞の鋼製根太４が底面側に開口部５を備え、開口部５の根太の側面側の両側部のそれぞれに内向きに張り出すリップ部６，６が備えられている。根太４を梁１に取り付ける取付け金物７は、第１、第２の金物材８，９と雌雄のネジ材１０，１１を備え、第１金物材８は爪部１２と対の脚部１３，１３と根太当接部１４とネジ通孔１５を備え、第２金物材９は根太当接部１７と両回り規制部１８とネジ通孔１９を備えている。取付け金物７は、第２金物材９が根太開口部５を通じて根太４内に挿入可能で、ネジ締めにより根太４に取り付けられるようになされている。【選択図】      図１
2005105638.tif 000002
【特許請求の範囲】
【請求項１】
内部空洞の金属製根太を梁に取り付ける取付け構造であって、
根太は底面側に開口部を備え、開口部の根太の側面側の両側部のそれぞれに内向きに張り出すリップ部が備えられ、開口部は根太幅方向の寸法が根太長さ方向の寸法よりも小さく設定され、
根太を梁に取り付ける取付け金物が備えられ、
該取付け金物は、第１金物材と、第２金物材と、雌雄のネジ材とを備え、
第１金物材は、
一端側に、根太の下面側との協働で梁を上下方向から挟んだ状態にする爪部を備えると共に、
他端側に、根太の両側面側に該側面部に沿うようにして立ち上がる対の脚部を備え、かつ
中間部に、根太の下面側に当接する根太当接部を備えると共に、
前記爪部と脚部との間の中間位置に上下方向に貫通するネジ通孔を備えたものからなり、
第２金物材は、
根太の下面側開口部を通じて根太内に挿入可能で、回転することにより根太の下面側の開口部を挟む両リップ部の上面側に張り出し、この張出し状態において根太内の側面部に当接して回転を規制される根太当接部を備えると共に、
回転中心部に上下方向に貫通するネジ通孔を備えたものからなり、
前記雌雄のネジ材は、そのいずれか一方が第２金物材に一体的に取り付けられると共に、もう一方が第１金物材の下面側に配置され、かつ、雄ネジ材の雄ネジ棒部が第１，第２の金物材のネジ通孔に通されて、互いに螺合され、
該取付け金物は、雌雄ネジ材螺合状態において、第２金物材が根太の下面側の開口部を通じて根太内に挿入可能であり、
その挿入状態で、第１金物材の対の脚部が根太の両側面部に沿って立ち上がった状態となって根太の両側面部に当接して回転を阻止された状態になり、下側のネジ材を螺進方向に回転することで、第２金物材が追従回転しその追従回転で第２金物材の根太当接部が根太内の両側面部に当接して第２金物材が回転を阻止された状態になり、
下側のネジ材の更なる回転によって螺進し雌雄のネジ材が締め合わされることで、根太下面側の開口部の両リップ部が第１、第２の金物材の各根太当接部に挟み込まれて第１金物材が根太下面側に固着され、梁が第１金物材の爪部と根太の下面部とで挟まれた状態となって、根太が梁に取り付けられていることを特徴とする梁への金属製根太の取付け構造。
【請求項２】
前記第２金物材が、その根太当接部の下部側に両回り規制部を備え、
該両回り規制部は、第２金物材を根太の下面側の開口部を通じて根太内に両回り規制部と共に挿入した状態から、ネジ材の螺進によって第２金物材が下降し根太当接部が根太の下面側の開口部の両リップ部の上面側に当接する過程で、根太の開口部内に入り込み、両リップ部の縁部に当接することで第２金物材の両回りを規制するようになされている請求項１に記載の梁への金属製根太の取付け構造。
【請求項３】
前記取付け金物が、締付け前の根太への組付け状態において、根太の開口部との関係で根太長手方向に移動できるようになされて、爪部が梁の下面側に進出した進出位置と梁の下面側から退出した退出位置とで位置の変更を行えるようになされている請求項１又は２に記載の梁への金属製根太の取付け構造。
【請求項４】
請求項１又は請求項２に記載の取付け構造で使用される取付け金物。
【請求項５】
床用面材の下面に金属製根太が取り付けられた床パネルであって、
請求項３に記載の取付け構造で使用される取付け金物が同項記載の金属製根太に予め取り付けられ、該金属製根太が本項記載の根太である床パネル。
【発明の詳細な説明】
【技術分野】
【０００１】
本発明は、梁への金属製根太の取付け構造、取付け金物及び床パネルに関する。
【背景技術】
【０００２】
住宅等の建物において、２階などの階上の床パネルを床梁の上に設置した後、床パネルに備えられている根太を床梁に取り付ける場合に、階上からの作業によって取付けを行うことができれば作業が容易で苦労は少ない。ところが、根太が鋼製根太などの金属製のものからなる場合は、階上からの取付けを実現するのに要するコストが高くつきやすく、そのため、金属製根太の場合は、梁への取付けを階下からの上向き作業で行う取付け構造を採用するのが無難である。
【発明の開示】
【発明が解決しようとする課題】
【０００３】
しかしながら、上向きでの取付け作業は、非常に厄介で、作業者の肉体的精神的負担が非常に大きいという問題がある。また、根太が鋼製などの金属製である場合は、根太に対する加工コストも高くつきやすい。
【０００４】
本発明は、上記のような問題点に鑑み、梁への金属製根太の取付けを上向き作業にもかかわらず肉体的精神的負担少なく容易に行っていくことができ、しかもそれをコスト的に有利に実現することができる取付け構造等を提供することを課題とする。
【課題を解決するための手段】
【０００５】
上記の課題は、内部空洞の金属製根太を梁に取り付ける取付け構造であって、
根太は底面側に開口部を備え、開口部の根太の側面側の両側部のそれぞれに内向きに張り出すリップ部が備えられ、開口部は根太幅方向の寸法が根太長さ方向の寸法よりも小さく設定され、
根太を梁に取り付ける取付け金物が備えられ、
該取付け金物は、第１金物材と、第２金物材と、雌雄のネジ材とを備え、
第１金物材は、
一端側に、根太の下面側との協働で梁を上下方向から挟んだ状態にする爪部を備えると共に、
他端側に、根太の両側面側に該側面部に沿うようにして立ち上がる対の脚部を備え、かつ
中間部に、根太の下面側に当接する根太当接部を備えると共に、
前記爪部と脚部との間の中間位置に上下方向に貫通するネジ通孔を備えたものからなり、
第２金物材は、
根太の下面側開口部を通じて根太内に挿入可能で、回転することにより根太の下面側の開口部を挟む両リップ部の上面側に張り出し、この張出し状態において根太内の側面部に当接して回転を規制される根太当接部を備えると共に、
回転中心部に上下方向に貫通するネジ通孔を備えたものからなり、
前記雌雄のネジ材は、そのいずれか一方が第２金物材に一体的に取り付けられると共に、もう一方が第１金物材の下面側に配置され、かつ、雄ネジ材の雄ネジ棒部が第１，第２の金物材のネジ通孔に通されて、互いに螺合され、
該取付け金物は、雌雄ネジ材螺合状態において、第２金物材が根太の下面側の開口部を通じて根太内に挿入可能であり、
その挿入状態で、第１金物材の対の脚部が根太の両側面部に沿って立ち上がった状態となって根太の両側面部に当接して回転を阻止された状態になり、下側のネジ材を螺進方向に回転することで、第２金物材が追従回転しその追従回転で第２金物材の根太当接部が根太内の両側面部に当接して第２金物材が回転を阻止された状態になり、
下側のネジ材の更なる回転によって螺進し雌雄のネジ材が締め合わされることで、根太下面側の開口部の両リップ部が第１、第２の金物材の各根太当接部に挟み込まれて第１金物材が根太下面側に固着され、梁が第１金物材の爪部と根太の下面部とで挟まれた状態となって、根太が梁に取り付けられていることを特徴とする梁への金属製根太の取付け構造によって解決される。
【０００６】
この取付け構造では、取付け金物の第１金物材の両脚部を根太の両側面部に沿わせるようにすると共に、第２金物材を金属製根太の開口部を通じて根太内に挿入すれば、あとは、外からネジ材を螺進方向に回転させていくだけで、取付け金物を根太に容易に取り付けることができる。
【０００７】
即ち、ネジ材の回転中、第１金物材は、その両脚部が根太の側面部に当接することでネジ材の回転に追従して回転することはなく、そのため、ネジ材の螺進回転中、第１金物材を手でおさえなくてもよく、そのため、根太への取付け金物の取付けを容易に行うことができる。
【０００８】
また、第２金物材については、金属製根太の開口部を通じて根太内に挿入されるが、上記のようにネジ材を螺進方向に回転させていけば、それに追従して回転変位し、根太当接部が根太の両リップ部の側に張り出して根太内の側面部に当接し、その後の追従回転が規制される。そのため、第２金物材の根太当接部を根太の両リップ部の側に張り出させることや、第２金物材を張出し状態に位置決めするのが、螺進方向へのネジ材の回転操作だけで実現され、根太への取付け金物の取付けを容易に行うことができる。
【０００９】
なお、根太への取付け金物の取付けは、根太を梁上に設置する前に行ってもよいし、根太を梁上に設置した状態で上向き作業で行うようにしてもよい。
【００１０】
そして、梁への根太の取付けは、梁上に根太を設置すると共に、根太に取り付けられている取付け金物の第１金物材に備えられている爪部を梁の下面側に配置した状態にし、その後、下からネジ材を締め付けていけば、それだけで、根太が梁に取り付けられ、梁への金属製根太の取付けを上向き作業にもかかわらず肉体的精神的負担少なく容易に行っていくことができる。
【００１１】
即ち、上に述べたように、ネジ材の締付け時に、取付け金物の第１金物材が共回りすることはないし、第２金物材も回転変位を規制されて根太当接部が根太の両リップ部の側に張り出した状態に保持されるので、上向き作業において、一方の手に工具をもってネジ締めしつつ、もう一方の手で第１金物材をおさえたり、第２金物材を共回りしないように保持したり必要がなく、上向き作業にもかかわらず体力を使わず神経をすり減らさず容易に取付けを行っていくことができる。
【００１２】
しかも、金属製の根太には、その下面部に開口部を一つ加工しておくだけでよく、金属製根太に対する加工をコスト的に有利に行うことができるし、また、そもそもそのような開口部が備えられている根太であれば、開口部の加工の必要もない。
【００１３】
上記の取付け構造において、第２金物材が、その根太当接部の下部側に両回り規制部を備え、
該両回り規制部は、第２金物材を根太の下面側の開口部を通じて根太内に両回り規制部と共に挿入した状態から、ネジ材の螺進によって第２金物材が下降し根太当接部が根太の下面側の開口部の両リップ部の上面側に当接する過程で、根太の開口部内に入り込み、両リップ部の縁部に当接することで第２金物材の両回りを規制するようになされているとよい。
【００１４】
この場合は、根太への取付け金物の取付け状態において、両回り規制部が根太の開口部内に入り込んでリップ部と回転方向において当接し、第２金物材が根太内でいずれの方向にも回転することができず、そのため、第２金物材が反ネジ締め方向に回転しようとしてもそれが阻止され、第２金物が根太の開口部から抜出されて取付け金物が根太から外れてしまうのを確実に防ぐことができる。
【００１５】
特に、根太への取付け金物の取付けを、根太を梁上に設置する前に行うような場合、例えば、工場などで根太に予め取付け金物を取り付けておき、それを建築の現場に搬送して梁上への根太の設置を行うような場合には、根太の運搬や、現場での根太の持ち運びにおいて、取付け金物が根太から脱落してしまうのを確実に防ぐことができる。
【００１６】
とりわけ、床用面材の下面に上記の金属製根太が取り付けられた床パネルにおいて、上記の取付け金物が金属製根太に予め取り付けられている場合は、工場などから建築現場への床パネルの運搬や、現場での床パネルの持ち運びにおいて、取付け金物が床パネルから脱落してしまうのを確実に防ぐことができる。
【００１７】
しかも、現場や工場、運搬中における床パネルの保管において、根太を取付け金物を介して支承状態にすることができ、取付け金物に保管用のスペーサーとしての機能をもたせることができる。
【００１８】
また、上記の取付け構造において、取付け金物が、締付け前の根太への組付け状態において、根太の開口部との関係で根太長手方向に移動できるようになされて、爪部が梁の下面側に進出した進出位置と梁の下面側から退出した退出位置とで位置の変更を行えるようになされているとよい。
【００１９】
この場合は、梁上に根太を設置した後、取付け金物の爪部を退出位置から梁下に進出させ、そして、締付けを行っていけばよいので、取付け金物の爪部を梁下に位置させるのを上向き作業で容易に行っていくことができる。
【発明の効果】
【００２０】
本発明は、以上のとおりのものであるから、梁への金属製根太の取付けを上向き作業にもかかわらず肉体的精神的負担少なく容易に行っていくことができ、しかもそれをコスト的に有利に実現することができる。
【発明を実施するための最良の形態】
【００２１】
次に、本発明の実施最良形態を図面に基づいて説明する。
【００２２】
図１乃至図５に示す実施形態は、住宅等の建物の２階などの階上床パネルに備えられている根太を床梁に取り付ける取付け構造に関するもので、図３において、１は床梁、２は床パネルであり、床梁１は上下のフランジとこれらフランジをつなぐウェブとを備えたＨ形鋼からなっている。
【００２３】
床パネル２は、床用面材３の下面に金属製根太としての複数本の鋼製根太４…が所定の間隔おきに並列状態にされて取り付けられたもので、各根太４は内部空洞の角形鋼管材からなっていて、床パネル２は、根太４…の端部を床梁１の上フランジ１ａの上面に支承させるようにして床梁１に設置される。
【００２４】
この床パネル２において、根太４の底面部には、図１に示すように、根太４を床梁１に取り付けるのに用いられる方形状などをした開口部５が形成されており、開口部５の根太４の側面側の両側部のそれぞれには内向きに張り出すリップ部６，６が備えられている。そして、開口部５の根太長さ方向の寸法は、根太幅方向の寸法よりも大きく設定されている。
【００２５】
この開口部５を利用して根太４を床梁１に取り付けるのに用いられるのが、図１及び図２に示す取付け金物７であり、この取付け金物７は、第１金物材８と、第２金物材９と、雌雄のネジ材１０，１１とで構成され、第１、第２の金物材８，９は、いずれも金属製の板曲げ成形品からなっている。
【００２６】
第１金物材８は、溝形形状をしており、その一端側に、図４に示すように、根太４の下面側との協働で床梁１を上下方向から挟んだ状態にする溝形の爪部１２を備え、また、他端側に、図１に示すように、根太４の両側面側に該側面部に沿うようにして立ち上がる対の脚部１３，１３を備え、そして、中間部を、図４に示すように、根太４の下面側、具体的には、両リップ部６，６の下面側に当接する溝形の根太当接部１４としている。また、爪部１２と脚部１３，１３との間の中間位置において、根太当接部１４の底壁部には、上下方向に貫通するネジ通孔１５が設けられている。このネジ孔１５の周囲の壁部は、溝内の側に隆起されて底面側が窪まされ、その窪み部に雄ネジ材１０の頭部が収容されて該頭部が下方に突出しないようになされている。
【００２７】
第２金物材９は、側面視Ｔ字形の溝形形状をしており、上半部である両側壁の上半部を根太当接部１７とし、下半部である両側壁の下半部と底壁とを両回り規制部１８とし、いずれの部１７，１８も、溝方向を根太開口部５の長手方向に向けることにより、根太４の下面側開口部５を通じて根太４内に挿入可能で、挿入状態においてネジ締め方向に回転することにより、根太当接部１７は、根太４の下面側の開口部５を挟む両リップ部６，６の上面側に張り出し、この張出し状態において根太４内の側面部４ａ，４ａに当接して回転を規制されるようになされている。
【００２８】
なお、根太当接部１７が挿入状態から９０°回転し、根太４内の側面部４ａ，４ａに当接して回転を規制されるようにするため、本実施形態では、根太当接部１７の一端側において溝形の上半部の両側壁の一方を後退させ、他端側において溝形の上半部の両側壁のもう一方を後退させ、これら後退側の側壁先端部が根太４内の各側面部４ａ，４ａに干渉しないように設計されている。なお、この構造は一例であって、このような構造によらなくてもよいことはいうまでもない。
【００２９】
また、両回り規制部１８は、その長さ寸法が、根太当接部１７の長さ寸法よりも小さく設定されると共に、根太開口部５の幅寸法よりもやや小さく設定されていて、根太当接部１７が挿入状態から９０°回転し、根太４内の側面部４ａ，４ａに当接して回転を規制された状態において、根太開口部５内にしっくりと入り込むことができるようになされて、この入り込み状態において、根太開口部５の両リップ部６，６の縁部に当接することで第２金物材９の両回りが規制されるようになされている。
【００３０】
また、第２金物材９の底壁部には、回転中心部において、上下方向に貫通するネジ通孔１９が設けられ、溝内に、ネジ通孔１９と連通するように雌ネジ材として六角ナット１１がセットされ、ナット１１は嵌合や溶接等により第２金物材９と一体化されて備えられている。
【００３１】
そして、雄ネジ材としての六角孔付き皿ボルト１０が、図６に示すように、下から第１、第２の金物材８，９のネジ通孔１５，１９に通され、第２金物材９に取り付けられたナット１１に螺合され、一つの取付け金物７を形成している。なお、雄ネジ材１０の長さ寸法は、例えば、図７（ロ）や図９（ホ）に示すように、第１金物材８の根太当接部１４を根太４の下面に当接させた状態で、第２金物材９の全体を根太４内に存在させうるような寸法に設定されている。
【００３２】
根太４への取付け金物７の取付けは、根太４に開口部５を形成した床パネル２を建築の現場で床梁１に設置した状態で行うようにしてもよいし、あるいは、工場などで床パネル２に先付けしておくのもよいが、本実施形態では、後者の先付け工法の場合の取付け方法を説明する。
【００３３】
即ち、図７（イ）（ロ）に示すように、根太４を上下逆向きにして開口部５を上にした状態で、上方より、取付け金物７の第１金物材８の両脚部１３，１３を根太４に外嵌していきながら、根太の開口部５を通じて第２金物材９の全体を根太４内に挿入し、第１金物材８の根太当接部１４を根太４の上面に当接させる。
【００３４】
しかる後、図８及び図９（ホ）に示すように、雄ネジ材１０を螺進方向に回転させていく。第１金物材８は、その両脚部１３，１３が根太４の側面部側に外嵌状態となっていて、両脚部１３，１３は回転中心から半径線方向に離れているので、雄ネジ材１０の回転中、手で第１金物材８をおさえる必要はなく、雄ネジ材１０を容易に回転させていくことができる。
【００３５】
また、雄ネジ材１０の回転初期段階において、第２金物材９は、図８（ニ）及び図９（ホ）に示すように、雄ネジ材１０の回転に追従して回転変位していき、第２金物材９の根太当接部１７が根太４のリップ部６，６の側に張り出していき、９０°回転したところで、根太当接部１７が根太４内の両側面部に当接して第２金物材９が回転を阻止された状態になる。
【００３６】
そして、本実施形態では、第２金物材９に両回り規制部１８が備えられているので、雄ネジ材１０の螺進を更に進めていくことで、図９（ヘ）に示すように、第２金物材９の両回り規制部１８が根太開口部５内に入り込んだ状態となり、更に螺進を進めて、雄ネジ材１０の締付けを行うと、その入り込んだ状態を維持したまま、図９（ト）に示すように、第２金物材９の根太当接部１７と第１金物材８の根太当接部１４とが根太開口部５の両リップ部６，６を挟み込んだ状態となって、根太４への取付け金物７の取付けが完了する。
【００３７】
なお、この組付け状態において、取付け金物７は、雄ネジ材１０を緩めることで、根太４の開口部５の長手方向サイズとの関係で根太長手方向に移動できるようになされている。
【００３８】
このように、鋼製根太４への取付け金物７の取付けのために、鋼製根太４に求められるのは、開口部５を形成しておくことだけであり、鋼製根太４に対する取付け金物７の取付けのための加工をコスト的に有利に行うことができる。
【００３９】
こうして根太４に取付け金物７が組み付けられた床パネルは、工場などから建築現場に搬送され、建築現場で床梁に設置されていくのであるが、その過程で、振動などによって雄ネジ材１０に緩みを生じても、根太４内の第２金物材９の根太当接部１７は、両回り規制部１８が根太開口部５内に入り込んだ状態を維持していることで、いずれの方向にも回転できず、そのため、取付け金物７が根太４から脱落してしまうことはない。
【００４０】
また、現場や工場、運搬中における床パネル２の保管において、根太４を取付け金物７を介して支承状態にすることができ、取付け金物７を保管用のスペーサーとしての機能させることができる。
【００４１】
床梁１への床パネル２の取付けは、床梁に床パネルを設置した後、図１０（チ）に示すように、下から雄ネジ材１０を緩めて、取付け金物７の第１金物材８の爪部１２を、同図に示す退出位置から図１０（リ）に示す進出位置にスライドさせて床梁１の上フランジ１ａの下面側に位置させる。そして、雄ネジ材１０を締め直せば、床梁１の上フランジ１ａが根太４と取付け金物７の爪部１２とで上下方向から挟まれ、床パネル２が床梁１に取り付けられる。根太４と取付け金物７の爪部１２とは、床梁１の上フランジ１ａを締付け状態に挟んでいてもよいし、単に非締付け状態に挟んだだけの状態にされていてもよい。なお、図示しないが、根太４と床梁１の上フランジ１ａとの間に防振ゴムなどの防振材を介設しておくのがよい。なお、この場合の防振材は取り付け金物と共に予め床パネルに取り付けておいて、取付け金物に防振材の保護を行わせるとよい。
【００４２】
床パネル設置後のこれらの作業は、下から上向きで行われることになるが、雄ネジ材１０を緩めたり締め付けたりする際に、第１金物材８はその脚部１３，１３が根太４に外嵌されていることで回転せず、第２金物材９もその両回り規制部１８が根太開口部５内に入り込んでいることで不本意な回転をすることはなく、そのため、床梁１への根太４の取付けを上向き作業にもかかわらず肉体的精神的負担少なく容易に行っていくことができる。
【００４３】
以上に、本発明の実施形態を示したが、本発明はこれに限られるものではなく、発明思想を逸脱しない範囲で各種の変更が可能である。例えば、上記の実施形態では、雌ネジ材１１を第２金物材９に一体的に取り付けた場合を示しているが、雄雌を逆にし、雄ネジ材の頭部を第２金物材９に一体的に取り付け、下から雌ネジ材を螺合させる構造にしてもよい。
【００４４】
また、上記の実施形態では、根太が角形鋼管からなる場合を示しているが、内部空洞のものであればよく、例えば、下向き開放のリップ付き溝形材であってもよく、その場合にはリップ部間を開口部として利用することができて、取付け金物の取付けのための加工がいらず有利な面もあり、また、根太は鋼製以外の金属製根太であってもよい。
【００４５】
更に、上記の実施形態では、根太４への取付け金物７の取付けを先付けによって行う場合を示したが、床パネルを床梁に設置した後、下からの上向き作業で、根太４への取付け金物７の取付け作業を行うようにしてもよく、その場合であっても、上向き作業でありながら取付け金物を容易に根太に取り付けていくことができる。
【図面の簡単な説明】
【００４６】
【図１】実施形態の取付け構造を示す分解斜視図である。
【図２】取付け金物の分解斜視図である。
【図３】床パネルと床梁との関係を示す一部断面斜視図である。
【図４】取付け構造部分の一部断面正面図である。
【図５】図（イ）は図４のＩ−Ｉ線断面矢視図、図（ロ）は図（イ）のＩＩ−ＩＩ線断面矢視図である。
【図６】図（イ）は取付け金物の分解正面図、図（ロ）は取付け金物の組立状態の正面図である。
【図７】図（イ）及び図（ロ）は、図８乃至図１０と共に取付け方法を順次に示す断面側面図である。
【図８】図（ハ）及び図（ニ）は同断面平面図である。
【図９】図（ホ）〜図（ト）は同断面平面図である。
【図１０】図（チ）及び図（リ）は同一部断面正面図である。
【符号の説明】
【００４７】
１…床梁（梁）
２…床パネル
３…床用面材
４…鋼製根太（金属製根太）
５…開口部
６…リップ部
７…取付け金物
８…第１金物材
９…第２金物材
１０…雄ネジ材
１１…雌ネジ材
１２…爪部
１３…脚部
１４…根太当接部
１５…ネジ孔
１７…根太当接部
１８…両回り規制部
１９…ネジ通孔
【図１】
2005105638.tif 000003
【図２】
2005105638.tif 000004
【図３】
2005105638.tif 000005
【図４】
2005105638.tif 000006
【図５】
2005105638.tif 000007
【図６】
2005105638.tif 000008
【図７】
2005105638.tif 000009
【図８】
2005105638.tif 000010
【図９】
2005105638.tif 000011
【図１０】
2005105638.tif 000012